(57)【要約】【課題】振動・騒音を低減する。【解決手段】小型電気機器の要洗浄部を受ける洗浄皿５と、要洗浄部の洗浄に際して上記洗浄皿内に供給される洗浄液を貯める容器７と、この容器内の洗浄液を上記洗浄皿に供給する洗浄液供給手段と、上記洗浄皿内の洗浄液を上記容器に戻す排出経路とを備える。上記洗浄皿５は支持枠１３によって支持されたものであるとともに、この支持枠１３よりも弾性率が小さい。【選択図】図１
2013230214.tif 000002
【特許請求の範囲】
【請求項１】
小型電気機器の要洗浄部を受ける洗浄皿と、要洗浄部の洗浄に際して上記洗浄皿内に供給される洗浄液を貯める容器と、この容器内の洗浄液を上記洗浄皿に供給する洗浄液供給手段と、上記洗浄皿内の洗浄液を上記容器に戻す排出経路とを備えた小型電気機器用の洗浄装置であって、
上記洗浄皿は支持枠によって支持されたものであるとともに、この支持枠よりも弾性率が小さいことを特徴とする小型電気機器の洗浄装置。
【請求項２】
上記洗浄皿は上縁外周部が支持枠に支持されることで支持枠から吊り下げられたものであることを特徴とする請求項１記載の小型電気機器の洗浄装置。
【請求項３】
上記洗浄皿の下面を受ける支持部材を備えていることを特徴とする請求項２記載の小型電気機器の洗浄装置。
【請求項４】
上記洗浄皿は上記洗浄液供給手段及び上記排出経路に直接接続される水密型接続部を備えていることを特徴とする請求項１〜３のいずれか１項に記載の小型電気機器の洗浄装置。
【請求項５】
上記洗浄皿は洗浄皿内の洗浄液のオーバーフロー分を上記排出経路を介して容器に戻すオーバーフロー排水口と、このオーバーフロー排水口に至る傾斜面とを備えるとともに、上記傾斜面に一端が接続され且つ他端が洗浄装置外と通じる排水路を備えていることを特徴とする請求項１〜４のいずれか１項に記載の小型電気機器の洗浄装置。
【請求項６】
上記洗浄皿の支持枠による被支持部は、洗浄皿よりも弾性率が大で洗浄皿の上方に配されている部材と前記支持枠との間で水密固定されていることを特徴とする請求項１〜５のいずれか１項に記載の小型電気機器の洗浄装置。
【請求項７】
上記洗浄皿の上方に配されている部材と洗浄皿とは水平方向において接触する接触面を備えていることを特徴とする請求項６記載の小型電気機器の洗浄装置。
【請求項８】
上記洗浄皿の上方に配されている部材と洗浄皿とは鉛直方向において接触する接触面を備えていることを特徴とする請求項６記載の小型電気機器の洗浄装置。
【発明の詳細な説明】
【技術分野】
【０００１】
本発明は、電気かみそりや脱毛器のような定期的に洗浄を必要とする小型電気機器用の洗浄装置に関するものである。
【背景技術】
【０００２】
小型電気機器の要洗浄部を受ける洗浄皿と、要洗浄部の洗浄に際して上記洗浄皿内に供給される洗浄液を貯める容器と、この容器内の洗浄液を上記洗浄皿に供給する洗浄液供給手段と、上記洗浄皿内の洗浄液を上記容器に戻す排出経路とを備えた小型電気機器用の洗浄装置がある。
【０００３】
この種の洗浄装置では、洗浄皿を合成樹脂製のものとしているが、洗浄効果を高めるために洗浄中に小型電気機器を作動させる場合、小型電気機器の振動が洗浄皿から洗浄装置に伝搬して装置そのものが発する振動・騒音が大きくなるといった不具合があった。
【先行技術文献】
【特許文献】
【０００４】
【特許文献１】特許第３６５２３９３号公報
【発明の概要】
【発明が解決しようとする課題】
【０００５】
本発明は上記問題に鑑みてなされたもので、振動・騒音を低減することができる小型電気機器用の洗浄装置を提供することを課題とする。。
【課題を解決するための手段】
【０００６】
本発明にかかる小型電気機器用の洗浄装置は、小型電気機器の要洗浄部を受ける洗浄皿と、要洗浄部の洗浄に際して上記洗浄皿内に供給される洗浄液を貯める容器と、この容器内の洗浄液を上記洗浄皿に供給する洗浄液供給手段と、上記洗浄皿内の洗浄液を上記容器に戻す排出経路とを備えたものにおいて、上記洗浄皿は支持枠によって支持されたものであるとともに、この支持枠よりも弾性率が小さいことに特徴を有している。
【０００７】
上記洗浄皿は上縁外周部が支持枠に支持されることで支持枠から吊り下げられたものであることが好ましく、また、上記洗浄皿の下面を受ける支持部材を備えていることが好ましい。
【０００８】
上記洗浄皿は上記洗浄液供給手段及び上記排出経路に直接接続される水密型接続部を備えていることが好ましい。
【０００９】
また、上記洗浄皿は洗浄皿内の洗浄液のオーバーフロー分を上記排出経路を介して容器に戻すオーバーフロー排水口と、このオーバーフロー排水口に至る傾斜面とを備えるとともに、上記傾斜面に一端が接続され且つ他端が洗浄装置外と通じる排水路を備えていることが好ましい。
【００１０】
上記洗浄皿の支持枠による被支持部は、洗浄皿よりも弾性率が大で洗浄皿の上方に配されている部材と前記支持枠との間で水密固定されていることが好ましく、上記洗浄皿の上方に配されている部材と洗浄皿とは水平方向において接触する接触面、あるいは鉛直方向において接触する接触面を備えていることが好ましい。
【発明の効果】
【００１１】
本発明においては、洗浄皿がこの洗浄皿を支持する支持枠よりも弾性率が小さいために、洗浄中に小型電気機器を動作させても小型電気機器から伝搬する振動を緩和することができる。また、小型電気機器を洗浄装置に装着する際に傷つくことを防止することができる。
【図面の簡単な説明】
【００１２】
【図１】本発明の実施の形態の一例の側面カバーを外した状態の横断面図である。
【図２】同上の斜視図である。
【図３】同上の縦断面図である。
【図４】同上の引き上げた状態の斜視図である。
【図５】同上の分解斜視図である。
【図６】同上の分解斜視図である。
【図７】同上の部分断面図である。
【図８】同上の部分拡大断面図である。
【図９】同上の天面カバーとサポート台と側面カバー及び前面カバーを外した状態の斜視図である。
【図１０】同上の天面カバー及びサポート台を外した状態の平面図である。
【図１１】図１０中のＮ−Ｎ線の断面図である。
【図１２】図１０中のＬ−Ｌ線の断面図である。
【図１３】同上の洗浄皿の側面図である。
【図１４】同上の洗浄皿の平面図である。
【図１５】同上の洗浄皿の斜視図である。
【図１６】同上の容器とフィルター枠の分解斜視図である。
【図１７】同上の容器とフィルター枠の斜視図である。
【図１８】(a)(b)は同上の容器とフィルター枠の縦断面図と横断面図である。
【図１９】同上のフィルター枠を示すもので、(a)は平面図、(b)は背面図、(c)は側面図、(d)は底面図である。
【発明を実施するための形態】
【００１３】
以下本発明を図示実施例に基づいて詳述すると、図示例の洗浄装置１は、往復式電気かみそりである小型電気機器Ｅの刃ヘッド部Ｅａを洗浄するためのもので、小型電気機器Ｅを倒立させた状態でその刃ヘッド部Ｅａを差し込むための開口部２０を上面に備えている。
【００１４】
上記洗浄装置１は、図３と図５及び図６に示すように、その内部に洗浄皿５と、洗浄液を蓄える容器７と、洗浄液を容器７と洗浄皿５との間で循環させるポンプＰと、洗浄後の刃ヘッド部Ｅａを乾燥させるためのヒータユニットＨ及びモータファンＦを備え、さらに上部後方側には小型電気機器Ｅとの間の電気的接続用の接続部を備えるサポート部Ｓを有している。
【００１５】
洗浄液を入れた容器７を洗浄装置１にセットし、上記開口部２０を通じて洗浄皿５内に小型電気機器Ｅの刃ヘッド部Ｅａを位置させると同時に、上記サポート部Ｓの接続部で小型電気機器Ｅと洗浄装置１とを電気的に接続し、この状態でポンプＰを作動させれば、ポンプＰが容器７内の洗浄液を洗浄皿５内に供給する。洗浄皿５に設けた越流堰５４を超えた洗浄液は洗浄皿５の下方に位置する容器７内に戻る。この洗浄中は上記接続部を通じた給電及び信号の送信によって小型電気機器Ｅにおける刃ヘッド部Ｅａを作動させることで、刃ヘッド部Ｅａの洗浄をより迅速に且つ効果的に行うことができる。
【００１６】
次に各部について図５及び図６に基づき詳述すると、洗浄装置１は、底板１１と、この底板１１に対して上下動が可能なベース基板１２、ベース基板１２上に設置される支持枠１３、支持枠１３の上縁によって四周上縁が支持される前記洗浄皿５、上記開口部２０を備える天面カバー２、前記接続部が取り付けられるサポート台６、側面を覆う側面カバー１５、前面に配される前面カバー１６等からなる。
【００１７】
前記底板１１はその左右両側から夫々ガイド支柱１１０，１１０を立設しており、前記ベース基板１２はこのガイド支柱１１０に沿って上下動自在となっている。また、底板１１のガイド支柱１１０内に配されたばね１１２を備える押し上げ棒１１１により、ベース基板１２は上方に向けて付勢されている。
【００１８】
ベース基板１２上にはスイッチプレート３１が左右にスライド自在に配されている。ばね３２によって一方向に付勢されているとともに一端を側面カバー１５から外部に露出させているスイッチプレート３１は、前記ガイド支柱１１０上端に形成されたフック部１１５との係合部を備えており、ばね３２の付勢に抗してスイッチプレート３１を押し込めば、フック部１１５との係合が外れるためにベース基板１２は前記ばね１１２の付勢を受けて上動する。ベース基板１２を下方に押し込めば、フック部１１５にスイッチプレート３１が再係合するために、ベース基板１２は押し下げられた状態を保持する。
【００１９】
ベース基板１２は、下方に突出する筒状のモータカバー部１２０を備えて、該モータカバー部１２０内にモータケース１２１を介してモータＭを収容している。モータカバー部１２０の底面よりＭ字型シール１２２を介して下方に突出するモータ出力軸には、図１２にも示すように、羽根車１２３が取り付けられ、羽根車１２３の周囲は底部中央部に吸い込み口が開口するポンプカバー１２４が取り付けられている。なお、羽根車１２３が回転する時、ポンプカバー１２４の吸い込み口から吸引された洗浄液は、モータカバー部１２０に一体に設けた供給管１２６を通じて洗浄皿５の後述する給排水口５６へと送られる。
【００２０】
モータカバー部１２０の外周側には、３本の水位検知ピン２４，２５，２６を配設してある。容器７内の洗浄液中に浸漬することになるこれら３本の水位検知ピン２４，２５，２６は、これらの間の電気抵抗値によって洗浄液の水位を検知する。つまりは洗浄液が導電性を有するために水位検知ピン２４，２５間、及び水位検知ピン２４，２６間に洗浄液がない時は電気抵抗値が所定の値より大きくなることを利用して水位を検知する。
【００２１】
ここで水位検知ピン２４、２５，２６のうち、水位検知ピン２４の下端位置が最も低く、水位検知ピン２５，２６の下端位置も高さを異ならせているために、２段階の洗浄液水位、例えば洗浄液の残量が少なくなってきた時と、洗浄液を循環させて洗浄動作させるのに必要な量よりも少なくなった時（洗浄が不能となる時）とを検知することができる。なお、水位検知ピン２４の下端を他の２つの水位検知ピン２５，２６よりも更に低いところに位置させているのは、洗浄装置１を傾斜面に設置した時の検知余裕を持たすためである。
【００２２】
ベース基板１２上には支持枠１３を介して洗浄皿５が配設される。弾性率が支持枠１３よりも小さい軟質材、たとえばゴムによって形成された洗浄皿５は、その上縁から外周側に突出して先端が下方側に折り返された折り返し部５０を備えている。該折り返し部５０を支持枠１３上縁に被せた状態で、天面カバー２を組み付けて支持枠１３と天面カバー２とを連結すれば、図８に示すように、天面カバー２の下縁に設けたリブ２３が洗浄皿５の上縁の天面に設けられている溝５１に嵌り込む。天面カバー２と支持枠１３との間で洗浄皿５の上縁が鉛直方向において圧縮されるものであり、またリブ２３と溝５１の内壁とが水平方向において接触してこの部分の防水が保たれるものである。
【００２３】
なお、支持枠１３によって吊り下げられた洗浄皿５の上縁部の防水を鉛直方向に圧縮するだけで行う場合、高い精度は必要としないものの、防水する面積が大きくなるにつれて圧縮に必要な力が大きくなる。水平方向の接触で防水を行う場合は、大きな力は必要としないものの、左右方向の位置精度が重要となる。このために、ここでは両方を併用することで、防水の確保を容易となるようにしている。
【００２４】
洗浄皿５は、図１３〜図１５にも示すように、その内部に越流堰５４を備えて、該越流堰５４の前部側を洗浄部５２，後部側をオーバーフロー部５３に仕切っている。洗浄部５２は小型電気機器Ｅの刃ヘッド部Ｅａを収める部分で、越流堰５４側の壁面に一体に設けたリブ５５、洗浄皿５の内面に配置されるヘッドガイド３５の支持部３６との間で刃ヘッド部Ｅａの前後方向の位置決めを行う。また、洗浄皿５の底面には複数条の凸帯５９が設けられており、この凸帯５９によって刃ヘッド部Ｅａは底面から少し浮かされた状態で支持される。
【００２５】
洗浄皿５の洗浄部５２はその最低部に給排水口５６を備え、オーバーフロー部５３に２つの排水口５７，５８を備えている。給排水口５６は、ベース基台１２に設けられた接続管１２６を介してポンプＰに接続される。排水口５７，５８はベース基台１２に設けられた接続管１２７，１２８に接続される。なお、これら接続管１２７，１２８は洗浄液を蓄える容器７の直上に位置し、排水口５７，５８を通る排水は接続管１２７，１２８を通じて容器７に戻される。洗浄皿５をゴムで形成しているために、給排水口５６と接続管１２６との接続、及び排水口５７，５８と接続管１２７，１２８との接続は、単に直接接続するだけで容易に防水を図ることができる。
【００２６】
ここで、２つの排水口５７，５８のうち、上面開口部が低い位置にある排水口５７が洗浄液を循環させるための排水を担う。上面開口部が高く且つ排水口５７よりも越流堰５４から遠い位置にある排水口５８は、排水口５７が何らかの原因で詰まったりしてその機能を果たせなくなった際の非常用である。このために、オーバーフロー部５３の底面は、片側に位置する排水口５７に向かって下り傾斜している傾斜面としてある。
【００２７】
また、オーバーフロー部５３には、図７に示すように、一端が上記傾斜面に至るとともに他端が洗浄装置外と通じる小さい孔としての排水路５１０を設けている。この排水路５１０は、オーバーフロー部５３において目詰まりが発生して洗浄液が溢れそうになった時、洗浄液を洗浄装置１外へと排出して、内部の電子部品等が浸水故障することを防止する。
【００２８】
洗浄皿５の前縁の一側に設けた袋形状の壁体５００で囲まれた部分は、動作指示用のセレクト釦２９の配置用であり、天面カバー２上に露出するセレクト釦２９の操作はスイッチ棒２９０（図６参照）を介してスイッチ基板２７（図５参照）のスイッチを駆動する。このために、セレクト釦２９で洗浄装置１の動作を指示することができ、この時、スイッチ基板２７に設けた動作表示用の表示ランプが導光板２８を介して天面カバー２上に指示に応じた表示を行う。なお、表示ランプには容器７内の水量表示用のものも設けている。
【００２９】
天面カバー２が有する背部カバー２３によって背面側が覆われるとともに、背部カバー２３とでサポート部Ｓを構成するサポート台６は、ばね３７によって接点部支持部材３８を介して前方に向けて個別に付勢された複数の接点部３９を備える。接点部３９はサポート台６の前面よりも突出しない状態でサポート台６前面に露出する。
【００３０】
接点部３９の上方には、小型電気機器Ｅの吸着用としての磁石４３とヨーク４４とが設置されている。洗浄皿５に刃ヘッド部Ｅａを嵌め込んだ時、小型電気機器Ｅは磁石４３による磁気吸着でサポート部Ｓに引きつけられ、小型電気機器Ｅが備える端子部Ｅｂが接点部３９に接触するとともに端子部Ｅｂが接点部３９をばね３７に抗して押し込むことで接点圧を確保する状態が保持される。なお、接点部３９と端子部Ｅｂとの接触により、小型電気機器Ｅへの給電や洗浄装置１から小型電気機器Ｅへの信号伝達が可能な状態となる。
【００３１】
サポート部Ｓ内に配されて、複数の接点部３９と接する本体検知板４２は、小型電気機器Ｅが装着されて接点部３９が後退した時に接点部３９から離れることで、小型電気機器Ｅが洗浄装置１に装着されたことを検出するためのものである。
【００３２】
サポート台６の下部には背面側にモータファンＦが装着される吹き出し口６６が設けられている。この吹き出し口６６部分の下縁は、前記洗浄皿５の後部上縁の上に載る。モータファンＦは洗浄装置１の背面に位置する吸込み口１５０から空気を吸い込み、吹き出し口６６から小型電気機器Ｅの刃ヘッド部Ｅａに向けて送風する。このためにモータファンＦの吹出し口６６は刃ヘッド部Ｅａに向かって上方から送風して乾燥できるように斜め下方に向けられており、さらに効率良く風向きを変えるための整流板６７を備えている。
【００３３】
洗浄皿５の洗浄部５２の裏面（下面）側には加熱のためのヒータ機構Ｈが設置されている。ヒータ線とヒータ板、ヒータ基台、温度制御用の温度検出器と異常加熱時の保護部品とを備える（図示せず）ヒータ機構Ｈは、ヒータ線からヒータ板、洗浄皿５、洗浄皿５の凸帯５９を通じて刃ヘッド部Ｅａに熱を伝達し、洗浄後の刃ヘッド部Ｅａの乾燥を促す。
【００３４】
ベース基台１２上に支持枠１３を介して洗浄皿５及び天面カバー２が組み付けられ、これらの外周を囲むように側面カバー１５と前部カバー１６とが取り付けられる。従って、前記底板１１に対してベース基台１２を上下動させる時、底板１１と、底板１１上に着脱自在に設置される容器７を除く他の部材は全てベース基台１２と一体に上下動を行う。この上下動は、底板１１上に配置する容器７の着脱操作のためである。
【００３５】
次に容器７とこの容器７内に着脱自在に配されるフィルター枠８について図１６〜図１９に基づき説明する。底板１１上に設置される上面が開口した容器７は、後部側の横幅が前部側の横幅よりも狭くなっているカップ状であって、内壁には給水ライン７０が記されている。容器７下面には、複数個の凸状隆起部７６が設けられており、洗浄装置１外に容器７を置いた場合の安定性を確保するとともに、水洗い等により容器７の下面に水滴が付着しても不用意に容器７を置いた場所に移着しないようにしてある。
【００３６】
フィルター枠８は、容器７の底面をほぼ覆う底板部８０と、底板部８０の後部から立ち上がるとともに両側縁が容器７の内壁面に接する仕切り壁８１とを備えており、容器７内には容器７の内壁に設けた位置決め用の凸部７４によって位置決めされる。このフィルター枠８により、容器７の内部は、仕切り壁７で仕切られる２つの空間７ａ，７ｂと、さらに容器７の底面から少し浮いた状態となる底板部８０と容器７の底面との間の空間７ｃとの総計３つの空間に仕切られる。底板部８０はその下面側に升目状のリブ８５を備え、後部上面で空間７ｂに面する部分に凹部８８を備える。容器７内にフィルター枠８を配した時、その周縁のうちの前縁部は容器７の内壁面との間に間隔を開けた状態となる。
【００３７】
上記仕切り壁８１の上部には分流部８２が設けられている。分流部８２は、仕切り壁８１の上部に形成された傾斜面８３に透過口８４を設けるとともに、透過口８４の直下にあって上記傾斜面８３とは逆の傾斜を有する傾斜面８５とを備えたもので、体毛等より細かいメッシュで構成されているフィルター８９が上記分流部８２の傾斜面８３上に配設される。
【００３８】
フィルター８９及び透過口８４を通らない洗浄液は、仕切り壁８１と容器７内壁との間の仕切られた空間７ａから底板部８０と容器７底面との間の空間７ｃと、底板部８０の前縁と容器７内壁面との間の隙間を通じて、底板部８０の上面側の空間７ｂに流れる。フィルター８９及び透過口８４を通過した洗浄液は、傾斜面８５に添って空間７ｃに流入する。なお、透過口８４の開口面積は、フィルター８９及び透過口８４を通る洗浄液のほうが、これらを通らずに空間７ａを経て空間７ｃに入る洗浄液よりも多くなるようにしている。
【００３９】
小型電気機器Ｅの刃ヘッド部Ｅａを洗浄するにあたっては、スイッチプレート３１を操作することで底板１１に対して全体を浮上させ、フィルター枠８を収めた容器７内に洗浄液を入れて底板１１上に容器７を設置する。この時、容器７は底板１１に設けたガイド板１１７によってガイドされ、さらに位置決め突起１１６によって位置決めされる。この突起１１６は、容器７の外壁面に設けた係合凹所７７（図１８参照）に嵌り込むために、容器７が浮き上がることも防ぐ。
【００４０】
そして洗浄装置１全体を押し下げれば、ベース基台１２に設けたポンプＰの下部が容器７内の洗浄液中に浸かる。また、この時にはベース基台１２の周部下面に取付枠１８で取り付けられたパッキン１７を、容器７の上縁に外周側に突出するものとして形成された鍔部７２とベース基台１２下面との間で挟持するために、この部分の防水がなされる。
【００４１】
上記のように洗浄液を入れた容器７をセットした洗浄装置１に対して、その上面の開口部２０を通じて小型電気機器Ｅの刃ヘッド部Ｅａを洗浄皿５内に収めて小型電気機器Ｅの端子部Ｅｂをサポート部Ｓの接点部３９に接触させる。
【００４２】
この状態で外部電源に接続した洗浄装置１のセレクト釦２９を操作することで洗浄を開始させたならば、ポンプＰが作動して容器７内の洗浄液を接続管１２６及び給排水口５６を通じて洗浄皿５の洗浄部５２内に送り込む。そして洗浄皿５の越流堰５４を超えた洗浄液は、排水口５７と接続管１２７とを通じて容器７内に戻る。従って洗浄液は容器７内と洗浄皿５との間で循環する。
【００４３】
この洗浄に際しては、サポート部Ｓを通じて小型電気機器Ｅの刃ヘッド部Ｅａにおける刃を駆動することが好ましい。刃ヘッド部Ｅａの洗浄をより効果的に且つ迅速に行うことができる。また、刃ヘッド部Ｅａの刃を駆動しても、洗浄皿５は弾性率が小さいゴム製である上に吊り下げ支持されたものであるために、小型電気機器Ｅの振動を洗浄装置１の外殻部材等に伝えてしまうことは殆どなく、従って振動及び騒音が低減されたものとなっている。なお、洗浄皿５の下面はヒータ機構Ｈを介してベース基板１２で受けているために、洗浄皿５が必要以上に変形してしまうようなことはない。
【００４４】
ところで、洗浄皿５内の洗浄液は越流堰５４を超えてオーバーフロー部５３に入り、前述のように排水口５７及び接続管１２７から容器７内に戻るのであるが、この接続管１２７は、容器７における空間７ａ内に位置することになるフィルター８９の直上に位置している。従って体毛等を含んだ洗浄液は、フィルター８９を通ることなく一部の洗浄液とともに空間７ａを流れ落ちて容器７の底部の空間７ｃに入る。フィルター８９及び透過口８４を通過した体毛等を含まない洗浄液は、傾斜面５４によって空間７ｂに位置する凹部８８側へと流れる。ポンプＰの吸い込み口はこの凹部８８のところに位置するために、洗浄液は再度ポンプＰによって洗浄皿５へと送られる。
【００４５】
一方、容器７の後部片側に位置する空間７ａからフィルター枠８下面と容器７底面との間の空間７ｃに入った体毛や洗浄液は、容器７底面に沿って広がり、フィルター枠８の底板部８０前縁と容器７の前部内壁との隙間から空間７ｂへと流入する。この時、空間７ｃに入った洗浄液は上述のように広がる上に、洗浄皿５へとポンプＰで送り出される洗浄液は、フィルター８９及び透過口８４を通過した体毛等を含まない洗浄液が主となっていることもあって、空間７ｃを通る流量が少なく且つ流速もかなり低く、しかもフィルター枠８の底板部８０下面にある升目状のリブ８５で多数箇所において滞留が生じることから、洗浄液が含んでいる体毛等は空間７ｃにおいて沈殿堆積することになる。
【００４６】
そして空間７ｃを通った洗浄液は、容器７の前部側を通ってフィルター枠８の底板部８０上を通り、その後、容器７の後部寄りでポンプＰの吸い込み口が開口している凹部８８に至る上に、沈殿堆積した体毛等と吸い込み口との間には底板部８０があるために、ポンプＰが体毛等を再度吸い込んで洗浄皿５に戻してしまうことはほとんど無い。
【００４７】
なお、空間７ｃは通常数十回程度の洗浄動作による体毛堆積量を確保することができる容積としている。そして、使用者は容器７を洗浄装置１から取り出してフィルター枠８を取り外せば、堆積した体毛を洗い流すことができ、この後、新たな洗浄液を入れることで、初期の洗浄能力を取り戻すことができる。容器７の上縁に設けた前述の鍔７２は外周側に張り出すものとして形成しており、このために容器７内の洗浄液を捨てるために容器７の開口部を下にした時、洗浄液（及び体毛等）をスムーズに排出することができる。なお、鍔７２は止水のための剛性を確保するために設けたものであるが、容器７の側壁の肉厚で剛性を確保できる場合は鍔７２を必要としない。
【００４８】
洗浄が終了してポンプＰが停止すれば、洗浄皿５内の洗浄部５２にある洗浄液は、自然落下によって給排水口５６から接続口１２６及びポンプＰ（の羽根車１２３とポンプカバー１２４との間の空間）を通じて容器７に戻る。羽根車１２３部分は容器７内の洗浄液に浸かっている状態である上に、洗浄終了時には洗浄部５２にある洗浄液は体毛等をほとんど含んでいないために、ポンプＰを通るとはいえ、詰まりを生じるようなことはない。また、洗浄動作中にオーバーフロー部５３における排水口５７が詰まるようなことがあっても、排水口５８が別に存在しているために、洗浄液が洗浄皿５から溢れ出してしまうことはない。
【００４９】
洗浄が終了して洗浄液が容器７内に回収された時点でモータファンＦ及びヒータＨに通電されて刃ヘッド部Ｅａの乾燥が促される。
【符号の説明】
【００５０】
１  洗浄装置
２  天面カバー
５  洗浄皿
７  容器
１３  支持枠
【図１】
2013230214.tif 000003
【図２】
2013230214.tif 000004
【図３】
2013230214.tif 000005
【図４】
2013230214.tif 000006
【図５】
2013230214.tif 000007
【図６】
2013230214.tif 000008
【図７】
2013230214.tif 000009
【図８】
2013230214.tif 000010
【図９】
2013230214.tif 000011
【図１０】
2013230214.tif 000012
【図１１】
2013230214.tif 000013
【図１２】
2013230214.tif 000014
【図１３】
2013230214.tif 000015
【図１４】
2013230214.tif 000016
【図１５】
2013230214.tif 000017
【図１６】
2013230214.tif 000018
【図１７】
2013230214.tif 000019
【図１８】
2013230214.tif 000020
【図１９】
2013230214.tif 000021